(57)【要約】【課題】  ダビング方向を自動で決定することのできる複合型データ記録再生装置を提供すること。【解決手段】  複合型データ記録再生装置は、着脱可能な第１の記録媒体に対してデータの読み書きが可能な第１の駆動手段と、着脱可能な第２の記録媒体に対してデータの読み書きが可能な第２の駆動手段と、第１の記録媒体と第２の記録媒体との間のダビングを指示するためにユーザにより操作される１つの操作手段とを備える。このような構成において、ユーザによる操作手段の操作に応じて、第１の記録媒体および第２の記録媒体の記録可否が判断される（Ｓ４，６，８，１０，１４，１６）。そして、その判断結果に基づき、ダビング方向が決定され、決定されたダビング方向に従い、一方の媒体から他方の媒体へとデータのダビングが開始される（Ｓ１２，Ｓ１８，Ｓ２０）。【選択図】        図３
2007026509.tif 000002
【特許請求の範囲】
【請求項１】
着脱可能なテープ媒体に対してデータの読み書きが可能な第１の駆動手段と、
着脱可能なディスク媒体に対してデータの読み書きが可能な第２の駆動手段と、
前記テープ媒体と前記ディスク記録媒体との間のダビングを指示するためにユーザにより操作される１つの操作手段と、
ユーザによる前記操作手段の操作に応じて、前記テープ媒体および前記ディスク媒体の記録可否を判断するための判断手段とを備え、
前記判断手段は、
前記テープ媒体の記録可否を、装着されているテープ媒体が、爪折れテープか否かに基づき判断し、
前記ディスク媒体の記録可否を、装着されているディスク媒体が、再生専用ディスクか否か、再生専用でなくてもファイナライズされているディスクか否か、再生専用でなく、かつ、ファイナライズされていなくても記録可能な残時間が所定時間以下か否かなどに基づき判断し、
前記判断手段による判断結果に基づき、ダビング方向を決定するための決定手段をさらに備え、
前記決定手段は、
前記判断手段による判断結果が、前記テープ媒体が記録不可であり、かつ、前記ディスク媒体が記録可能である場合に、前記ダビング方向を、前記テープ媒体から前記ディスク媒体へと決定し、
前記判断手段による判断結果が、前記テープ媒体が記録可能であり、かつ、前記ディスク媒体が記録不可である場合に、前記ダビング方向を、前記ディスク媒体から前記テープ媒体へと決定し、
前記決定手段により決定されたダビング方向に従い、一方の媒体から他方の媒体へとデータのダビングを行なうためのダビング手段をさらに備える、複合型データ記録再生装置。
【請求項２】
着脱可能な第１の記録媒体に対してデータの読み書きが可能な第１の駆動手段と、
着脱可能な第２の記録媒体に対してデータの読み書きが可能な第２の駆動手段と、
前記第１の記録媒体と前記第２の記録媒体との間のダビングを指示するためにユーザにより操作される１つの操作手段と、
ユーザによる前記操作手段の操作に応じて、前記第１の記録媒体および前記第２の記録媒体の記録可否を判断するための判断手段と、
前記判断手段による判断結果に基づき、ダビング方向を決定するための決定手段と、
前記決定手段により決定されたダビング方向に従い、一方の媒体から他方の媒体へとデータのダビングを行なうためのダビング手段とを備える、複合型データ記録再生装置。
【請求項３】
前記決定手段は、
前記判断手段による判断結果が、前記第１の記録媒体が記録不可であり、かつ、前記第２の記録媒体が記録可能である場合に、前記ダビング方向を、前記第１の記録媒体から前記第２の記録媒体へと決定し、
前記判断手段による判断結果が、前記第１の記録媒体が記録可能であり、かつ、前記第２の記録媒体が記録不可である場合に、前記ダビング方向を、前記第２の記録媒体から前記第１の記録媒体へと決定する、請求項２に記載の複合型データ記録再生装置。
【請求項４】
前記第１の記録媒体は、テープ媒体であり、
前記判断手段は、前記テープ媒体の記録可否を、装着されているテープ媒体が、爪折れテープか否かに基づき判断する、請求項２に記載の複合型データ記録再生装置。
【請求項５】
前記第２の記録媒体は、ディスク媒体であり、
前記判断手段は、前記ディスク媒体の記録可否を、装着されているディスク媒体が、再生専用ディスクか否か、再生専用でなくてもファイナライズされているディスクか否か、再生専用でなく、かつ、ファイナライズされていなくても記録可能な残時間が所定時間以下か否かなどに基づき判断する、請求項２に記載の複合型データ記録再生装置。
【請求項６】
前記決定手段は、前記判断手段による判断結果が、前記第１の記録媒体および前記第２の記録媒体の両方が記録可能である場合には、ユーザからの指示に基づき前記ダビング方向を決定する、請求項２に記載の複合型データ記録再生装置。
【発明の詳細な説明】
【技術分野】
【０００１】
本発明は、複合型データ記録再生装置に関し、特に、２種の記録媒体間においていずれの方向にもダビングが可能な複合型データ記録再生装置に関する。
【背景技術】
【０００２】
従来、たとえばＴＶ（Television）放送をＶＣＲ（VideoCassette Recorder）やＶＴＲ（Video Tape Recorder）などに記録するデータ記録再生装置が多く開発されてきた。
【０００３】
近年、テレビ画面の高画質化と、情報記録技術の多様化・高度化に伴って、ＶＣＲ等以外に、ＣＤ（Compact disk）やＤＶＤ（Digital versatail disk）などのテープ媒体とは異なるディスク媒体を用いた記録再生技術の開発も盛んになってきている。それに伴い、ＶＴＲとＤＶＤ等との２種類の異なる媒体を１つの装置を用いて再生でき、かつ、両者間でのダビングを可能とする複合機も開発されている。
【０００４】
たとえば特許文献１には、ダビング起動時に、記録側が記録可能な状態になった旨を検知した時点で再生側に再生処理の開始を指示するとともに、記録側に対して記録処理の開始を指示する記録再生複合機が開示されている。これにより、再生と記録との位相合わせを正確に行なうことができる。この文献に開示された記録再生複合機においては、特許文献１の図２に示されるように、いずれの方向にダビングするかの指示を入力するためのダビング方向キーがそれぞれの方向について設けられている。
【０００５】
一方、特許文献２に開示されたデジタルビデオ再生／録画装置においては、１つのダビングキーしか設けられていないが、ここでのダビングは、自機器から相手機器への一方向へのダビングのみである。
【特許文献１】特開２００４−２３４７０５号公報
【特許文献２】特開２００２−２９０９０３号公報
【発明の開示】
【発明が解決しようとする課題】
【０００６】
特許文献１の図２に示されるように、複合機においてダビング方向キーが２つ設けられると、ユーザは、ダビング開始キーといずれかのダビング方向キーとの２つを押下しなければならず、常にダビング方向を意識しなければならない。
【０００７】
本発明は、上記のような問題を解決するためになされたものであって、その目的は、ダビング方向を自動で決定することのできる複合型データ記録再生装置を提供することである。
【課題を解決するための手段】
【０００８】
この発明のある局面に従う複合型データ記録再生装置は、着脱可能なテープ媒体に対してデータの読み書きが可能な第１の駆動手段と、着脱可能なディスク媒体に対してデータの読み書きが可能な第２の駆動手段と、テープ媒体とディスク記録媒体との間のダビングを指示するためにユーザにより操作される１つの操作手段と、ユーザによる操作手段の操作に応じて、テープ媒体およびディスク媒体の記録可否を判断するための判断手段とを備え、判断手段は、テープ媒体の記録可否を、装着されているテープ媒体が、爪折れテープか否かに基づき判断し、ディスク媒体の記録可否を、装着されているディスク媒体が、再生専用ディスクか否か、再生専用でなくてもファイナライズされているディスクか否か、再生専用でなく、かつ、ファイナライズされていなくても記録可能な残時間が所定時間以下か否かなどに基づき判断し、判断手段による判断結果に基づき、ダビング方向を決定するための決定手段をさらに備え、決定手段は、判断手段による判断結果が、テープ媒体が記録不可であり、かつ、ディスク媒体が記録可能である場合に、ダビング方向を、テープ媒体からディスク媒体へと決定し、判断手段による判断結果が、テープ媒体が記録可能であり、かつ、ディスク媒体が記録不可である場合に、ダビング方向を、ディスク媒体からテープ媒体へと決定し、決定手段により決定されたダビング方向に従い、一方の媒体から他方の媒体へとデータのダビングを行なうためのダビング手段をさらに備える。
【０００９】
この発明の他の局面に従う複合型データ記録再生装置は、着脱可能な第１の記録媒体に対してデータの読み書きが可能な第１の駆動手段と、着脱可能な第２の記録媒体に対してデータの読み書きが可能な第２の駆動手段と、第１の記録媒体と第２の記録媒体との間のダビングを指示するためにユーザにより操作される１つの操作手段と、ユーザによる操作手段の操作に応じて、第１の記録媒体および第２の記録媒体の記録可否を判断するための判断手段と、判断手段による判断結果に基づき、ダビング方向を決定するための決定手段と、決定手段により決定されたダビング方向に従い、一方の媒体から他方の媒体へとデータのダビングを行なうためのダビング手段とを備える。
【００１０】
好ましくは、決定手段は、判断手段による判断結果が、第１の記録媒体が記録不可であり、かつ、第２の記録媒体が記録可能である場合に、ダビング方向を、第１の記録媒体から第２の記録媒体へと決定し、判断手段による判断結果が、第１の記録媒体が記録可能であり、かつ、第２の記録媒体が記録不可である場合に、ダビング方向を、第２の記録媒体から第１の記録媒体へと決定する。
【００１１】
好ましくは、第１の記録媒体は、テープ媒体であり、判断手段は、テープ媒体の記録可否を、装着されているテープ媒体が、爪折れテープか否かに基づき判断する。
【００１２】
好ましくは、第２の記録媒体は、ディスク媒体であり、判断手段は、ディスク媒体の記録可否を、装着されているディスク媒体が、再生専用ディスクか否か、再生専用でなくてもファイナライズされているディスクか否か、再生専用でなく、かつ、ファイナライズされていなくても記録可能な残時間が所定時間以下か否かなどに基づき判断する。
【００１３】
好ましくは、決定手段は、判断手段による判断結果が、第１の記録媒体および第２の記録媒体の両方が記録可能である場合には、ユーザからの指示に基づきダビング方向を決定する。
【発明の効果】
【００１４】
本発明によると、ユーザによるワンタッチ操作に応じて、自動的にダビング方向を決定することができる。これにより、ユーザは、ダビング方向を意識することなく、ダビングを開始することができる。また、ダビング方向の設定というユーザの手間を省くことができる。
【発明を実施するための最良の形態】
【００１５】
本発明の実施の形態について図面を参照しながら詳細に説明する。なお、図中同一または相当部分には同一符号を付してその説明は繰返さない。
【００１６】
図１には、この発明の実施の形態に係る複合型データ記録再生装置の構成が示される。図１を参照して複合型データ記録再生装置はＴＶ（Television）放送を受信するＴＶアンテナ１、ＴＶアンテナ１により受信された放送信号から所望チャンネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録される着脱可能なディスク媒体、たとえばＤＶＤ１６ｂを駆動制御するＤＶＤドライブ１６ａ、チューナ２から出力されるアナログデータが記録される着脱可能なテープ媒体、たとえばビデオカセット２０ｂへのデータの書き込みおよび読み出しを行なうＶＣＲ２０ａ、ＤＶＤドライブ１６ａによりＤＶＤ１６ｂから読出されたデジタルデータを入力してデコードし、デジタル信号を出力するデコーダ７、デコーダ７から出力されたデジタル信号を入力してアナログ信号に変換して出力するアナログ変換部８、およびアナログ変換部８から出力されたアナログ信号あるいはＶＣＲ２０ａによりビデオカセット２０ｂから読み出されたアナログ信号を入力して映像、音声などにして出力するためのＴＶ受像機などの出力部９を備える。
【００１７】
なお、本実施の形態におけるテープ媒体（ビデオカセット２０ｂ）には、アナログデータが記録されるものとするが、デジタルデータが記録されるものであってもよい。
【００１８】
さらに、図１の複合型データ記録再生装置は、チューナ２のチューニング動作、エンコーダ４のエンコード動作、デコーダ７のデコード動作、ＤＶＤドライブ１６ａおよびＶＣＲ２０ａの動作を制御するためのＣＰＵ（Central Processing Unit）１０、ＣＰＵ１０がこれらを制御するための情報（プログラム、データなど）を含む各種の情報を記憶するためのＲＡＭ（Random Access Memory）やＲＯＭ（Read Only Memory）などからなる記憶部１１および１２、外部に設けられたリモコン（リモートコントローラの略）１４からの赤外線信号による指令・指示を受信し、データに変換して、ＣＰＵ１０に与える入力部１３、ＯＳＤ（On Screen Display）回路１５および計時動作するタイマ１７を備える。
【００１９】
ここでは、ＤＶＤ１６ｂは、ＤＶＤ−Ｒ、ＤＶＤ−ＲＷ（Digital Versatile Disc ReWritable）、ＤＶＤ−Ｖｉｄｅｏ  ＤＩＳＣなどであってよい。なお、「ＤＶＤ−Ｖｉｄｅｏ  ＤＩＳＣ」は、ビデオフォーマットで記録されたＤＶＤ−ＲＯＭディスクをいい、再生専用のディスクである。
【００２０】
ＯＳＤ回路１５はＣＰＵ１０から与えられるデジタル情報に基づく描画データを作成してアナログ変換部８に出力する。アナログ変換部８は描画データを入力すると、該描画データのみをアナログ変換して出力部９に出力する。または、描画データとＤＶＤ１６ｂから読出されてデコーダ７を介して与えられるデータとをアナログ変換して、出力部９に出力する。または、アナログ変換された描画データとビデオカセット２０ｂから読出されたアナログデータとを出力部９に出力する。これにより、出力部９には与えられるデータに基づく画像が表示されることになる。
【００２１】
入力部１３はリモコン１４からの指令を入力しない場合には、外部からの指令・指示を入力するためのユーザにより操作される各種スイッチ、ボタンなどから構成されてもよい。
【００２２】
ここで、リモコン１４について説明する。図２は、本発明の実施の形態の複合型データ記録再生装置に用いられるリモコン１４の構成例を示す図である。図２を参照して、リモコン１４には、複合型データ記録再生装置への電源の投入の状態を変更するための電源キー２１、ＤＶＤドライブ１６ａに対する動作を指示するためのＤＶＤキー２３、ＶＣＲ２０ａに対する動作を指示するためのＶＣＲキー２２、「１」〜「０」、および「＋１０」の数字を入力するための数字キー２４、アンテナ１を介して受信した映像データの記録（録画）を開始するための録画キー２５、ＤＶＤ１６ｂまたはＶＣＲ２０ｂに記録された映像データの再生指示を与えるための再生キー２６、当該再生を早送りさせるための早送りキー２８、当該再生を巻戻すための巻戻しキー２９、再生および録画を停止させるための停止キー２７、各種メニューを表示するためのメニューキー４１、決定ボタン４２、カーソルキー４３〜４６、ダビング開始の指示を与えるためのダビングキー４７が含まれる。カーソルキー４３〜４６は、出力部９に表示されるカーソルなどのポインタを上下左右のそれぞれの方向に移動させるための複数種類のキーである。
【００２３】
本実施の形態における複合型データ記録再生装置においては、ＤＶＤ１６ｂおよびビデオカセット２０ｂ間での両方向へのダビングが可能である。
【００２４】
ＣＰＵ１０は、ＤＶＤ１６ｂおよびビデオカセット２０ｂの記録可否を判断するための判断部１０１と、ダビング方向を決定するための方向決定部１０２とを含む。
【００２５】
判断部１０１は、ダビングキー４７が押下されたことを検知すると、ＤＶＤドライブ１６ａおよびＶＣＲ２０ａからの信号に基づき、各記録媒体の記録可否を判断する。各記録媒体についての具体的な判断については後述する。
【００２６】
方向決定部１０２は、判断部１０１からの出力に基づき、ダビング方向を、‘ＤＶＤ→ＶＣＲ’方向（ＤＶＤ１６ｂからビデオカセット２０ｂ）と‘ＶＣＲ→ＤＶＤ’方向（ビデオカセット２０ｂからＤＶＤ１６ｂ）とのうちいずれかに決定する。方向決定部１０２は、一方の媒体が記録可能で他方の媒体が記録不可である場合には、ダビング方向を、記録不可の媒体から記録可能な媒体への方向に決定する。また、いずれの記録媒体も記録可能である場合は、ダビング方向を、ユーザからの指示に基づき決定する。
【００２７】
なお、判断部１０１および方向決定部１０２の動作は、たとえば記憶部１１中に格納されたソフトウェアを実行することで実現されてもよいし、少なくとも１つについては、ハードウェアで実現されてもよい。
【００２８】
また、ここではダビングの対象とされるデータを映像データであるものとするが、映像データに限られず、音声データであってもよいし、両方を含んでいてもよい。本実施の形態において、「ダビング」とは、ある記録媒体に記録されている記録済データを別の記録媒体に再記録することをいうものとする。
【００２９】
図３は、本発明の実施の形態におけるダビング処理を示すフローチャートである。図３のフローチャートに示す処理は、予めプログラムとしてたとえば記憶部１１に格納されており、ＣＰＵ１０がこのプログラムを読み出して実行することにより、ダビング処理の機能が実現される。
【００３０】
図３を参照して、始めに、ＣＰＵ１０は、ダビングキー４７が押下されたか否かを判断する（ステップＳ２）。ダビングキー４７が押されるまで待機する（ステップＳ２においてＮＯ）。
【００３１】
ステップＳ２において、ダビングキー４７が押下されたと判断した場合（ステップＳ２においてＹＥＳ）、判断部１０１は、ＶＣＲ２０ａからの信号に基づき、ビデオカセット２０ｂが挿入されているか否かを判断する（ステップＳ４）。ビデオカセット２０ｂが挿入されていると判断された場合（ステップＳ４においてＹＥＳ）、ステップＳ６に進む。一方、ビデオカセット２０ｂが挿入されていないと判断された場合（ステップＳ４においてＮＯ）、ダビング不可と判定され（ステップＳ２２）、この処理は終了される。
【００３２】
ステップＳ６において、判断部１０１は、挿入されているビデオカセット２０ｂが記録可能であるか否か、たとえば“爪折れテープ”であるか否かを判断する。爪折れテープであると判断された場合（ステップＳ６においてＹＥＳ）、ステップＳ８に進む。一方、爪折れテープでないと判断された場合（ステップＳ６においてＮＯ）、ステップＳ１４に進む。なお、「爪折れテープ」とは、誤消去防止のために、ビデオカセット２０ｂの背に設けられた爪が折られてあるものをいう。
【００３３】
ステップＳ８において、判断部１０１は、次に、ＤＶＤドライブ１６ａからの信号に基づき、ＤＶＤ１６ｂが挿入されているか否かを判断する。ＤＶＤ１６ｂが挿入されていると判断された場合（ステップＳ８においてＹＥＳ）、ステップＳ１０に進む。一方、ＤＶＤ１６ｂが挿入されていないと判断された場合（ステップＳ８においてＮＯ）、ダビング不可と判定され（ステップＳ２２）、この処理は終了される。
【００３４】
ステップＳ１０において、判断部１０１は、挿入されているＤＶＤ１６ｂが、記録可能なディスクか否かを判断する。
【００３５】
ここで、記録可能なディスクか否かの判断基準の一例を以下に示す。
（１）ＤＶＤ−Ｖｉｄｅｏディスクであるか、
（２）ＤＶＤ−Ｒ／ＲＷのＶｉｄｅｏモードであっても、ファイナライズされているディスクであるか、
（３）ＤＶＤ−Ｒ／ＲＷのＶｉｄｅｏモードであって、ファイナライズされていないディスクであっても、記録可能な残時間が所定時間（たとえば３０分）以下か。
【００３６】
上記（１）〜（３）のいずれか１つでも該当すると、記録不可であると判断され、いずれにも該当しない場合には、記録可能であると判断される。
【００３７】
ここで「ファイナライズ」とは、多くの機器で再生可能となるように（互換性を持たせるために）、記録情報の最終処理を行なうことであり、ファイナライズ後は書き込みが不可能となるものである。
【００３８】
なお、判断部１０１による記録可否の判断基準を、ユーザが設定できてもよい。たとえば、所定の残時間を設定できるメニューを設けてもよい。また、本実施の形態では、（３）に示したように、記録可能な残時間が「所定時間」以下かにより記録の可否を判断することとするが、画質モードにより異なる時間を設けてもよい。
【００３９】
ステップＳ１０において、記録可能ディスクであると判断された場合（ステップＳ１０においてＹＥＳ）、方向決定部１０２は、ダビング方向を‘ＶＣＲ→ＤＶＤ’方向に決定する。そして、この方向に従いダビングが開始される（ステップＳ１２）。なお、ビデオカセット２０ｂからＤＶＤ１６ｂへのダビング動作については、公知の方法により実現することが可能である。ステップＳ１２の処理が終わると、ダビング処理は終了される。
【００４０】
一方、ステップＳ１０において、判断部１０１により記録可能ディスクでないと判断された場合（ステップＳ１０においてＮＯ）、ダビング不可と判定され（ステップＳ２２）、この処理は終了される。
【００４１】
ステップＳ１４において、判断部１０１は、上記ステップＳ８と同様に、ＤＶＤ１６ｂが挿入されているか否かを判断する。ＤＶＤ１６ｂが挿入されていないと判断された場合（ステップＳ１４においてＮＯ）、ダビング不可と判定され（ステップＳ２４）、この処理は終了される。一方、判断部１０１は、ＤＶＤ１６ｂが挿入されていると判断した場合（ステップＳ１４においてＹＥＳ）、続いて、挿入されているＤＶＤ１６ｂが記録不可か否かを判断する（ステップＳ１６）。
【００４２】
ステップＳ１６において、挿入されているＤＶＤ１６ｂが記録不可であると判断した場合（ステップＳ１６においてＹＥＳ）、方向決定部１０２は、ダビング方向を‘ＤＶＤ→ＶＣＲ’方向に決定する。そして、決定された方向に従いダビングが開始される（ステップＳ１８）。なお、ＤＶＤ１６ｂからビデオカセット２０ｂへのダビング動作についても、公知の方法により実現することが可能である。ステップＳ１８の処理が終わると、ダビング処理は終了される。
【００４３】
ステップＳ１６において、挿入されているＤＶＤ１６ｂが記録可能であると判断された場合（ステップＳ１６においてＮＯ）、いずれの方向にもダビングが可能であるので、方向決定部１０２は、たとえばセットアップメニューを表示してユーザからのダビング方向の指示を待つ。そして、ユーザからの指示の入力があると、その指示に基づく方向にダビング方向を決定する。そして、決定されたダビング方向にてダビングが開始される（ステップＳ２０）。ステップＳ２０の処理が終わると、ダビング処理は終了される。
【００４４】
このように、本発明の実施の形態における複合型データ記録再生装置は、ユーザによるダビングキー４７のワンタッチ操作により自動的にダビング方向を決定し、決定した方向にてダビングを開始することができる。これにより、ダビング方向を設定するというユーザの手間を省くことができる。また、ユーザは、ダビング方向を意識する必要なく、ダビングを開始することができ、利便性が向上する。
【００４５】
なお、ステップＳ２２およびＳ２４において、ＣＰＵ１０は、“ダビング不可”というメッセージを表示してもよい。また、ダビング不可の理由もさらに表示してもよい。これにより、ユーザは、容易にダビング実行のための対応をとることができる。
【００４６】
また、本実施の形態では、Ｓ１２およびＳ１８において、自動的に決定したダビング方向にて即座にダビングが開始されることとしたが、各ステップにおいて、決定したダビング方向でダビングを開始してもよいかのメッセージを表示してもよい。この場合、たとえば、「５秒後にダビングを開始します。キャンセルの場合は停止キーを押して下さい。」などというメッセージを表示して、ユーザからの指示を待ってもよい。このようにすることで、ユーザが意図しないダビング方向にてダビングが開始されてしまうことを防止することができる。
【００４７】
また、本実施の形態では、テープ媒体とディスク媒体との間でのダビングを想定して説明したが、着脱可能な記録媒体であれば、これらに限定されるものではない。
【００４８】
上記ＤＶＤ１６ｂの代わりに、プログラムを記録しているたとえば光学媒体等を駆動装置で読み出して、記憶部１１のプログラムをアップデートすることもできる。
【００４９】
また、本発明の複合型データ記録再生装置が行なう、ダビング処理方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００５０】
提供されるプログラム製品は、ハードディスクなどのプログラム格納部にインストールされて実行される。なお、プログラム製品は、プログラム自体と、プログラムが記録された記録媒体とを含む。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】本発明の実施の形態に係る複合型データ記録再生装置の機能構成を示すブロック図である。
【図２】本発明の実施の形態の複合型データ記録再生装置に用いられるリモコンの構成例を示す図である。
【図３】本発明の実施の形態におけるダビング処理を示すフローチャートである。
【符号の説明】
【００５３】
１  アンテナ、２  チューナ、３  デジタル変換部、４  エンコーダ、７  デコーダ、８  アナログ変換部、９  出力部、１０  ＣＰＵ、１１，１２  記憶部、１３  入力部、１４  リモコン、１５  ＯＳＤ回路、１６ａ  ＤＶＤドライブ、１６ｂ  ＤＶＤ、１７  タイマ、２０ａ  ＶＣＲ、２０ｂ  ビデオカセット、４７  ダビングキー、１０１  判断部、１０２  方向決定部。
【図１】
2007026509.tif 000003
【図２】
2007026509.tif 000004
【図３】
2007026509.tif 000005